(57)【特許請求の範囲】
【請求項１】
複数の処理を実行する処理実行手段と、
画像を視認可能に表示する２以上の部分表示領域を有する表示手段と、
前記２以上の部分表示領域の少なくとも１つに画像を視認可能に表示する第１モードと前記表示手段の全表示領域に画像を視認可能に表示する第２モードとのいずれかに切り換えるモード切換手段と、
前記第１モードに切り換えられている場合、前記複数の処理のうち第１の処理が実行されて出力される第１画像および第２の処理が実行されて出力される第２画像を、前記２以上の部分表示領域のうち第１部分表示領域および第２部分表示領域にそれぞれ視認可能に表示する表示制御手段と、を備え、
前記表示制御手段は、前記第１モードに切り換えられている場合、前記第１の処理が実行されて出力される第１画像が前記第１部分表示領域に視認可能に表示されてから所定時間経過する前に前記第２の処理が実行されるとき、前記第２の処理が実行されて出力される第２画像を前記第２部分表示領域に視認可能に表示し、前記第１の処理が実行されて出力される第１画像が前記第１部分表示領域に視認可能に表示されてから前記所定時間が経過した後に前記第２の処理が実行されるとき、前記第２の処理が実行されて出力される第２画像を前記第１部分表示領域に視認可能に表示する、携帯情報処理装置。
【請求項２】
電池と、
前記電池の残量を検出する残量検出手段と、をさらに備え、
前記モード切換手段は、前記残量検出手段により検出される残量が所定の量より小さい場合、前記第１モードに切り換える、請求項１に記載の携帯情報処理装置。
【請求項３】
前記表示制御手段は、画像のすべてが表示されていないときは表示されている部分の画像に所定の印を追加する明示手段を含む、請求項１または２に記載の携帯情報処理装置。
【請求項４】
画像を視認可能に表示する２以上の部分表示領域を有する表示手段を備えた携帯情報処理装置で実行される画像表示方法であって、
前記２以上の部分表示領域の少なくとも１つに画像を視認可能に表示する第１モードと前記表示手段の全表示領域に画像を視認可能に表示する第２モードとのいずれかに切り換えるステップと、
前記第１モードに切り換えられている場合、第１の処理が実行されて出力される第１画像および第２の処理が実行されて出力される第２画像を、前記２以上の部分表示領域のうち第１部分表示領域および第２部分表示領域にそれぞれ視認可能に表示するステップと、を含み、
前記表示するステップは、前記第１モードに切り換えられている場合、前記第１の処理が実行されて出力される第１画像が前記第１部分表示領域に視認可能に表示されてから所定時間経過する前に前記第２の処理が実行されるとき、前記第２の処理が実行されて出力される第２画像を前記第２部分表示領域に視認可能に表示し、前記第１の処理が実行されて出力される第１画像が前記第１部分表示領域に視認可能に表示されてから前記所定時間が経過した後に前記第２の処理が実行されるとき、前記第２の処理が実行されて出力される第２画像を前記第１部分表示領域に視認可能に表示するステップを含む、画像表示方法。
【請求項５】
前記携帯情報処理装置が備える電池の残量を検出する残量検出ステップを、をさらに含み、
前記切り換えるステップは、前記残量検出ステップにおいて検出される残量が所定の量より小さい場合、前記第１モードに切り換えるステップを含む、請求項４に記載の画像表示方法。
【請求項６】
前記表示するステップは、画像のすべてが表示されていないときは表示されている部分の画像に所定の印を追加する明示ステップを含む、請求項４または５に記載の画像表示方法。
【発明の詳細な説明】
【技術分野】
【０００１】
この発明は、携帯情報処理装置および画像表示方法に関し、特に画像を表示する機能を備えた携帯情報処理装置、その携帯情報処理装置で実行される画像表示方法に関する。
【背景技術】
【０００２】
近年、携帯電話機は、通話機能に加えて、テレビ受信機能、Ｗｅｂサイトのブラウジング機能等の複数の機能を有し、使用時間が増える。一方、携帯電話機は、携帯の利便性から小型および軽量であることが望まれており、搭載される電池は形状が小さくなる傾向にある。このため、携帯電話機は、消費電力が小さいことが望ましい。
【０００３】
携帯電話機の消費電力を低減するための技術として、特開２００６−２３５４６４号公報に、液晶画面のバックライトとして、液晶画面の全面を照明するための消費電力の大きい高輝度の第１のバックライトと、液晶画面の一部を照明するための消費電力の小さい低輝度の第２のバックライトとを実装し、用途、すなわち、液晶画面に表示される情報や実行する機能に応じてバックライトで照明する範囲を切り換える携帯電話機が記載されている。
【０００４】
しかしながら、従来の携帯電話機は、液晶画面の一部のみを照明するので、表示面積が限定されて必要な情報を十分に表示できない場合がある。たとえば、電子メールを閲覧しているときに電話を着信した場合等、２つの処理が同時に実行される場合は、いずれか一方の処理の結果だけしか表示することができない。また、表示される画像の面積が大きな場合、液晶画面の一部に画像を表示したのでは見づらい場合がある。この場合には、液晶画面の全部を照明するように切り換える操作をしなければならず、操作が煩雑であるといった問題があった。
【特許文献１】特開２００６−２３５４６４号公報
【発明の開示】
【発明が解決しようとする課題】
【０００５】
この発明は上述した問題点を解決するためになされたもので、この発明の目的の１つは、消費電力を低減するとともに画像を見やすく表示することが可能な携帯情報処理装置を提供することである。
【０００６】
この発明の他の目的は、消費電力を低減するとともに画像を見やすく表示することが可能な画像表示方法を提供することである。
【課題を解決するための手段】
【０００７】
上述した目的を達成するためにこの発明のある局面によれば、携帯情報処理装置は、複数の処理を実行する処理実行手段と、画像を視認可能に表示する２以上の部分表示領域を有する表示手段と、２以上の部分表示領域の少なくとも１つに画像を視認可能に表示する第１モードと表示手段の全表示領域に画像を視認可能に表示する第２モードとのいずれかに切り換えるモード切換手段と、第１モードに切り換えられている場合、複数の処理のうち第１の処理が実行されて出力される第１画像および第２の処理が実行されて出力される第２画像を、２以上の部分表示領域のうち第１部分表示領域および第２部分表示領域にそれぞれ視認可能に表示する表示制御手段と、を備え、表示制御手段は、第１モードに切り換えられている場合、第１の処理が実行されて出力される第１画像が第１部分表示領域に視認可能に表示されてから所定時間経過する前に第２の処理が実行されるとき、第２の処理が実行されて出力される第２画像を第２部分表示領域に視認可能に表示し、第１の処理が実行されて出力される第１画像が第１部分表示領域に視認可能に表示されてから所定時間が経過した後に第２の処理が実行されるとき、第２の処理が実行されて出力される第２画像を第１部分表示領域に視認可能に表示する。
【０００８】
この局面に従えば、第１モードに切り換えられている場合、複数の処理のうち第１および第２の処理がそれぞれ実行されて出力される第１画像および第２画像が、２以上の部分表示領域のうち第１部分表示領域および第２部分表示領域にそれぞれ視認可能に表示される。このため、全表示領域に表示するよりも消費される電力を小さくすることができる。また、複数の処理がそれぞれ実行されて出力される複数の画像が同時に表示されるので、ユーザは複数の処理の結果を同時に確認することができる。その結果、消費電力を低減するとともに画像を見やすく表示することが可能な携帯情報処理装置を提供することができる。
【００１０】
また、第１画像が表示されてから所定時間経過する前は、第２画像が同時に表示されるので、ユーザは複数の処理結果を同時に確認することができる。一方、第１画像が表示されてから所定時間が経過した後は、第１画像に代えて第２画像が表示されるので、消費電力を小さくすることができる。画像が表示されるタイミングによって消費電力の低減と利便性とのいずれを優先するかを切り換えることができる。
【００１７】
好ましくは、電池と、電池の残量を検出する残量検出手段と、をさらに備え、モード切換手段は、残量検出手段により検出される残量が所定の量より小さい場合、第１モードに切り換える。
【００１８】
この局面に従えば、電池の残量が所定の量より小さい場合、第１モードに切り換えられるので、強制的に消費電力を小さくして長時間表示することができる。
【００１９】
好ましくは、表示制御手段は、画像のすべてが表示されていないときは表示されている部分の画像に所定の印を追加する明示手段を含む。
【００２０】
この局面に従えば、画像のすべてが画像されていないことをユーザに知らせることができる。
【００２１】
この発明のさらに他の局面によれば、画像表示方法は、画像を視認可能に表示する２以上の部分表示領域を有する表示手段を備えた携帯情報処理装置で実行される画像表示方法であって、２以上の部分表示領域の少なくとも１つに画像を視認可能に表示する第１モードと表示手段の全表示領域に画像を視認可能に表示する第２モードとのいずれかに切り換えるステップと、第１モードに切り換えられている場合、第１の処理が実行されて出力される第１画像および第２の処理が実行されて出力される第２画像を、２以上の部分表示領域のうち第１部分表示領域および第２部分表示領域にそれぞれ視認可能に表示するステップと、を含み、表示するステップは、第１モードに切り換えられている場合、第１の処理が実行されて出力される第１画像が第１部分表示領域に視認可能に表示されてから所定時間経過する前に第２の処理が実行されるとき、第２の処理が実行されて出力される第２画像を第２部分表示領域に視認可能に表示し、第１の処理が実行されて出力される第１画像が第１部分表示領域に視認可能に表示されてから所定時間が経過した後に第２の処理が実行されるとき、第２の処理が実行されて出力される第２画像を第１部分表示領域に視認可能に表示するステップを含む。
【００２２】
この局面に従えば、消費電力を低減するとともに画像を見やすく表示することが可能な画像表示方法を提供することができる。
【００２３】
好ましくは、携帯情報処理装置が備える電池の残量を検出する残量検出ステップを、をさらに含み、切り換えるステップは、残量検出ステップにおいて検出される残量が所定の量より小さい場合、第１モードに切り換えるステップを含む。
【００２４】
好ましくは、表示するステップは、画像のすべてが表示されていないときは表示されている部分の画像に所定の印を追加する明示ステップを含む、請求項５または６に記載の画像表示方法。
【発明を実施するための最良の形態】
【００２７】
以下、本発明の実施の形態について図面を参照して説明する。以下の説明では同一の部品には同一の符号を付してある。それらの名称および機能も同じである。従ってそれらについての詳細な説明は繰返さない。
【００２８】
図１は、本発明の実施の形態の１つにおける携帯電話機の外観を示す斜視図である。携帯電話機１は、携帯通信端末の一例である。図１（Ａ）は、オープンスタイルの携帯電話機の外観を示し、図１（Ｂ）はクローズスタイルの携帯電話機の外観を示す。図１（Ａ）および図１（Ｂ）を参照して、携帯電話機１は、操作側部３と、表示側部２とを含む。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２９】
操作側部３は、電源キー１４Ａ、テンキーおよび通話キー等を含む操作キー１４と、マイクロフォン１３とが内側面に配置される。表示側部２は、液晶表示装置（ＬＣＤ）１５と、レシーバを構成する第１スピーカ１１とが内側面に配置される。
【００３０】
携帯電話機１は、ＬＣＤ１５の裏面に設けられたバックライトを備え、バックライトが照射する光を透過することにより、ＬＣＤ１５に表示された画像が視認可能に表示される。バックライトは、ＬＣＤ１５の裏面に設けられた反射板と、その反射板に光を照射する複数の光源とを含む。複数の光源のうち光を照射させる光源の組み合わせを異ならせることで、ＬＣＤ１５に複数の部分表示領域が形成される。
【００３１】
図２は、ＬＣＤが有する複数の部分表示領域を説明するための図である。図２を参照して、バックライトは、ＬＣＤ１５の裏面に設けられた反射板と、ＬＣＤ１５が有する第１部分表示領域１５Ａ、第２部分表示領域１５Ｂおよび第３部分表示領域１５Ｃそれぞれに対応する第１光源１６、第２光源１７および第３光源１８と、を含む。なお、図中の点線は、説明のために付したもので、実際には存在しない。第１部分表示領域１５Ａ、第２部分表示領域１５Ｂおよび第３部分表示領域１５Ｃとで、ＬＣＤ１５の全表示領域１５Ａ，１５Ｂ，１５Ｃが構成される。
【００３２】
第１光源１６から照射された光は、反射板により反射され、ＬＣＤ１５の第１部分表示領域の裏面から第１部分表示領域１５Ａに入射する。これにより、ＬＣＤ１５の第１部分表示領域１５Ａに表示される画像が視認可能なる。第２光源１７から照射された光は、反射板により反射され、ＬＣＤ１５の第２部分表示領域１５Ｂの裏面から第１部分表示領域に入射する。これにより、ＬＣＤ１５の第２部分表示領域１５Ｂに表示される画像が視認可能になる。第３光源１８から照射された光は、反射板により反射され、ＬＣＤ１５の第３部分表示領域１５Ｃの裏面から第３部分表示領域１５Ｃに入射する。これにより、ＬＣＤ１５の第３部分表示領域１５Ｃに表示される画像が視認可能になる。。
【００３３】
なお、ここでは携帯電話機１がＬＣＤ１５を備える例を示すが、ＬＣＤ１５に代えて有機ＥＬ（Ｅｌｅｃｔｒｏ‐Ｌｕｍｉｎｅｓｃｅｎｃｅ）ディスプレイを用いることができる。有機ＥＬディスプレイを用いる場合は、バックライトは不要である。有機ＥＬディスプレイにおいてもＬＣＤ１５の場合と同様に、ディスプレイの表示面積が少ないほど消費電力が少なくなる。
【００３４】
図３は、本実施の形態における携帯電話機の機能の一例を示す機能ブロック図である。図３を参照して、携帯電話機１は、携帯電話機１の全体を制御するためのＣＰＵ２１と、アンテナ２２Ａと接続された無線回路２２と、音声データを処理するためのコーデック部２８と、それぞれがコーデック部２８に接続されたマイクロフォン１３およびスピーカ１１と、ユーザの操作の入力を受付ける操作キー１４と、液晶表示装置（ＬＣＤ）１５と、第１光源１６と、第２光源１７と、第３光源１８と、ＣＰＵ２１の作業領域として使用されるＲＡＭ（Ｒａｎｄｏｍ  Ａｃｃｅｓｓ  Ｍｅｍｏｒｙ）３２と、データやアプリケーションプログラム等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）３３と、カードインターフェース（Ｉ／Ｆ）２７と、電池３７と、を含む。
【００３５】
無線回路２２は、アンテナ２２Ａにより受信された無線信号が入力され、無線信号を復調した信号をＣＰＵ２１に出力する。無線信号を復調した信号が音声信号の場合、ＣＰＵ２１は、音声信号をコーデック部２８に出力する。無線回路２２は、ＣＰＵ２１から信号が入力されると、その信号を変調した無線信号をアンテナ２２Ａに出力する。ＣＰＵ２１は、コーデック部２８から音声信号が入力されると、音声信号を無線回路２２に出力する。
【００３６】
コーデック部２８は、ＣＰＵ２１から入力される音声信号を復号し、復号したデジタルの音声信号をアナログに変換し、増幅し、スピーカ１１に出力する。また、コーデック部２８は、マイクロフォン１３からアナログの音声信号が入力され、音声信号をデジタルに変換し、符号化し、そして符号化した音声信号をＣＰＵ２１に出力する。
【００３７】
電池３７は、リチウムイオン電池、ニッカド電池、ニッケル水素電池などの二次電池であり、電力を蓄電する。
【００３８】
カードＩ／Ｆ２７には、着脱可能なフラッシュメモリ２７Ａが装着される。ＣＰＵ２１は、カードＩ／Ｆ２７を介して、フラッシュメモリ２７Ａにアクセスが可能である。ＣＰＵ２１が実行するためのプログラムをフラッシュメモリ２７Ａに記憶しておき、フラッシュメモリ２７Ａからプログラムを読み出して、ＣＰＵ２１が実行する。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等でもよい。
【００３９】
ここでいうプログラムは、ＣＰＵ２１により直接実行可能なプログラムだけでなく、ソースプログラム形式のプログラム、圧縮処理されたプログラム、暗号化されたプログラム等を含む。
【００４０】
図４は、携帯電話機が備えるＣＰＵが有する機能の概要を示す機能ブロック図である。図４を参照して、ＣＰＵ２１は、電池３７の残量を検出する残量検出部４１と、表示モードを切り換えるモード切換部４３と、画像の表示を制御する表示制御部４９と、処理を実行する第１処理実行部４５および第２処理実行部４７と、を含む。
【００４１】
第１処理実行部４５は、第１処理を実行し、第１処理を実行した結果得られる画像（以下、「第１画像」という）を、表示制御部４９に出力する。ここでは、第１処理を電子メールを閲覧する処理とする。この場合、第１画像は電子メールの内容を含む画像を含む。
【００４２】
第２処理実行部４７は、第２処理を実行し、第２処理を実行した結果得られる画像（以下、「第２画像」という）を、表示制御部４９に出力する。ここでは、第２処理を電話の着信を報知する処理とする。この場合、第２画像は「着信」の文字と、日時と、相手先の電話番号とを含む。
【００４３】
残量検出部４１は、電池３７が蓄電する電力の残量を検出し、検出した残量をモード切換部４３に出力する。
【００４４】
モード切換部４３は、表示モードを第１モードと第２モードとのいずれかに切り換える。モード切換部４３は、ユーザが操作キー１４を操作して、表示モードを切り換える指示を入力すれば、入力された指示に従って、表示モードを切り換える。また、モード切換部４３は、表示モードを第２モードに切り換えている場合、残量検出部４１により検出される電池の残量が所定量以下である場合、第１モードに切り換える。モード切換部４３は、表示モードを表示制御部４９に出力する。
【００４５】
表示制御部４９は、所定の印を追加する明示部５１と、時間を計時する計時部４８とを含む。明示部４１は、画像のすべてが表示されず、その一部分のみが表示される場合、画像の表示されている部分に所定の印を重畳して追加する。所定の印は、表示されていない画像が存在することをユーザに報知するための印であり、ここでは「＞＞＞」の３文字からなる記号としている。
【００４６】
計時部５３は、モード切換部４３から第１モードを示す表示モードが入力される場合、第１画像が第１部分表示領域１５Ａに表示されてからの経過時間を計測する。
【００４７】
表示制御部４９は、モード切換部４３から第１モードを示す表示モードが入力される場合、第１光源を駆動し、第１処理実行部４５から出力される第１画像を第１部分表示領域に表示する。そして、第１画像を表示しているときに第２処理実行部４７から第２画像が入力されると、計時部５３により計測された時間によって、第２画像を第１部分表示領域１５Ａおよび第２部分表示領域１５Ｂのいずれに表示する。なお、表示制御部４９は、第２画像を第２部分表示領域１５Ｂに表示する場合、第２光源１７を能動化する。
【００４８】
具体的には、計時部５３により計測された時間が所定の時間、例えば１５秒以上の場合、第１画像が１５秒を超えて表示されるので、第１画像の内容をユーザが把握することができる。従って、表示制御部４９は、第１画像が所定時間表示された後は、第１画像に代えて第２画像を第１部分表示領域１５Ａに表示する。このため、第１部分表示領域１５Ａだけに画像が表示されるので、消費電力を小さくすることができる。
【００４９】
また、表示制御部４９は、計時部５３により計測された時間が所定の時間より短い場合、第２光源１７を駆動し、第２画像を第２部分表示領域１５Ｂに表示する。具体的には、電子メールの内容を表示する第１画像を第１部分表示領域１５Ａに視認可能に表示するが、所定時間経過する前に着信があると、着信を報知する第２画像を第２部分表示領域１５Ｂに視認可能に表示する。これにより、ユーザは、第１画像と第２画像とを同時にみることができ、利便性が向上する。また、第３光源１８は駆動されないので、全表示領域１５Ａ，１５Ｂ，１５Ｃに画像を視認可能に表示する第２モードに比べて消費電力を小さくすることができる。
【００５０】
さらに、表示制御部４９は、モード切換部４３から第２モードを示す表示モードが入力される場合、第１光源１６、第２光源１６および第３光源１７を駆動し、第１処理実行部４５から出力される第１画像を全表示領域１５Ａ，１５Ｂ，１５Ｃに視認可能に表示する。そして、第１画像を表示しているときに第２処理実行部４７から第２画像が入力されると、第１画像に代えて第２画像を全表示領域１５Ａ，１５Ｂ，１５Ｃに視認可能に表示する。
【００５１】
第２モードにおいては、第１光源１６、第２光源１７および第３光源１８のすべてが駆動されるが、第１モードにおいては、第１光源１６および第２光源１７の少なくとも１つが駆動され、第３光源１８が駆動されない。従って、第１モードにおける消費電力は第２モードにおける消費電力よりも小さい。
【００５２】
なお、ＬＣＤ１５に代えて有機ＥＬ（Ｅｌｅｃｔｒｏ‐Ｌｕｍｉｎｅｓｃｅｎｃｅ）ディスプレイを用いる場合、第２モードにおいては、第１モードにおけるよりも画像を表示する面積が少ないので、ＬＣＤ１５の場合と同様に、第１モードにおける処理費電力は第２モードにおける消費電力よりも小さい。このため、有機ＥＬディスプレイにおいても消費電力を小さくするためには、表示モードを可能な限り第１モードに切り換えることが好ましい。
【００５３】
図５および図６は、表示切換処理の流れの一例を示すフローチャートである。表示切換処理は、ＣＰＵ２１が画像表示プログラムを実行することにより、ＣＰＵ２１により実行される処理である。図５を参照して、ＣＰＵ２１は、第１処理が実行されたか否かを判断する(ステップＳ０１)。第１処理が実行されるまで待機状態となり（ステップＳ０１でＮＯ）、第１処理が実行されると処理をステップＳ０２に進める。ここでは、第１処理を電子メールの閲覧処理としているので、電子メールの閲覧プログラムが実行されると、第１処理が実行されたと判断する。
【００５４】
ステップＳ０２においては、表示モードを判断する。表示モードが第１モードに切換えられていれば処理をステップＳ０３に進め、表示モードが第２モードに切換えられていれば処理をステップＳ２０に進める。ステップＳ０３においては、第１部分表示領域１５Ａを能動化する。ここでは、第１光源１６を駆動する。次のステップＳ０４においては、第１処理が実行されることにより出力される第１画像の表示を第１部分表示領域１５Ａに割り当てる。これにより、第１処理が実行されることにより出力される第１画像が、第１部分表示領域１５Ａに視認可能に表示される。
【００５５】
ステップＳ０５においては、タイマーをスタートする。タイマーは、第１画像が第１部分表示領域１５Ａに表示されてからの時間を計時する。次のステップＳ０６においては、第１処理が終了したか否かを判断する。ここでは、電子メールの閲覧処理が終了したか否かを判断する。第１処理を終了する指示を検出した場合、処理をステップＳ１３に進め、そうでなければ処理をステップＳ０７に進める。ステップＳ１３においては、第１部分表示領域１５Ａの表示を停止し、処理を終了する。この際、第１光源１６の駆動を停止する。
【００５６】
ステップＳ０６において、第１処理が終了しないと判断する場合、次のステップＳ０７において、第２処理が実行されたか否かを判断する。第１処理を実行中に、第２処理が実行されたか否かを判断する。第２処理が実行されたことを検出した場合、処理をステップＳ０８に進め、そうでなければ処理をステップＳ０６に戻す。ここでは、第２処理を電話の着信を報知する処理としているので、電話の着信が検出されたか否かを判断する。
【００５７】
ステップＳ０８においては、タイマー値がしきい値Ｔ１以上か否かを判断する。換言すれば、第１画像が第１部分表示領域１５Ａに表示されてからしきいＴ１時間以上経過したか否かを判断する。しきい値Ｔ１以上が経過したならば処理をステップＳ０９に進め、そうでなければ処理をステップＳ１４に進める。
【００５８】
ステップＳ０９においては、第２処理が実行されることにより出力される第２画像の表示を第１部分表示領域１５Ａに割り当てる。これにより、第２画像が、第１部分表示領域１５Ａに視認可能に表示される。しきい値Ｔ１時間は、ユーザが第１画像を見て内容を把握するのに十分な時間とすればよい。このため、しきい値Ｔ１時間経過後、第１画像に代えて第２画像を表示してもユーザの利便性には支障がないと考えられる。ここでは、しきい値Ｔ１を１５秒としている。また、第１部分表示領域１５Ａだけに画像が表示されるので、消費電力を小さくすることができる。
【００５９】
ステップＳ１０においては、第２処理が終了したか否かを判断する。第２処理が終了するまで待機状態となり（ステップＳ１０でＮＯ）、第２処理が終了すると（ステップＳ１０でＹＥＳ）、処理をステップＳ１１に進める。ステップＳ１１においては、第１処理が実行されることにより出力される第１画像の表示を第１部分表示領域１５Ａに割り当てる。すなわち、第２処理が終了しても、まだ第１処理が実行されているので、第１画像を再度表示するためである。このため、ユーザは、第２処理が終了後、ここでは通話を終了後に、実行途中であった第１処理が出力する第１画像、ここでは電子メールの内容を含む画像を再び見ることができる。
【００６０】
ステップＳ１２においては、第１処理が終了したか否かを判断する。第１処理が終了するまで待機状態となり（ステップＳ１２でＮＯ）、第１処理が終了すれば、処理をステップＳ１３に進める。ステップＳ１３においては、第１部分表示領域１５Ａの表示を停止し、処理を終了する。ＬＣＤ１５に表示する画像がないときは、第１光源１６を駆動しないので、消費電力を極力小さくすることができる。
【００６１】
一方、ステップＳ１４においては、第２部分表示領域１５Ｂを能動化する。具体的には、第２光源１７を駆動する。次のステップＳ１５においては、第２処理が実行されることにより出力される第２画像の表示を第２部分表示領域１５Ｂに割り当てる。これにより、第２処理が実行されることにより出力される第２画像が、第２部分表示領域１５Ｂに視認可能に表示される。このため、２つの処理がそれぞれ実行されて出力される２つの画像が同時に表示されるので、ユーザは２つの処理の結果を同時に見ることができ、利便性を向上させることができる。
【００６２】
ステップＳ１６においては、第２処理が終了しているか否かを判断する。第２処理が終了していれば処理をステップＳ１７に進め、第２処理が終了していなければステップＳ１７をスキップして処理をステップＳ１８に進める。ステップＳ１７においては、第２部分表示領域１５Ｂの表示を停止し、処理をステプＳ１８に進める。具体的には、第２部分表示領域１５Ｂに第２画像を表示するのを停止するとともに、第２光源１７の駆動を停止する。第２光源１７を駆動させないので、消費電力を小さくすることができる。なお、既に第２部分領域１５Ｂの表示が停止していれば、何もすることなく処理をステップＳ１８に進める。
【００６３】
ステップＳ１８においては、第１処理が終了しているか否かを判断する。第１処理が終了していれば処理をステップＳ１９に進め、第１処理が終了していなければ処理をステップＳ１６に戻す。ステップＳ１９においては、第１部分表示領域１５Ａの表示を停止し、処理をステップＳ１９Ａに進める。具体的には、第１部分表示領域１５Ａに第１画像を表示するのを停止するとともに、第１光源１６の駆動を停止する。第１光源１６を駆動させないので、消費電力を小さくすることができる。なお、既に第１部分領域１５Ａの表示が停止していれば、何もすることなく処理をステップＳ１９Ａに進める。
【００６４】
ステップＳ１９Ａにおいては、第１処理が終了しているか否かを判断する。第１処理が終了していれば処理を終了し、第１処理が終了していなければ処理をステップＳ１６に戻す。
【００６５】
一方、処理がステップＳ２０に進む場合、表示モードは第２モードに切り換えられている。表示モードが第２モードの場合、まず、電池３７の残量Ｑを検出する（ステップＳ２０）。そして、電池３７の残量Ｑがしきい値Ｔ２以上か否かを判断する（ステップＳ２１）。電池３７の残量Ｑがしきい値Ｔ２以上ならば、処理をステップＳ２２に進め、そうでなければ処理をステップＳ３０に進める。ステップＳ３０においては、表示モードを第１モードに切り換え、処理をステップＳ０３に進める。電池３７の残量Ｑが予め定められたしきい値Ｔ２より小さければ、表示モードを強制的に第１モードに切り換える。これにより、電池の残量が少ない状態において、画像を表示するための消費電力を低減させることにより、携帯電話機１をできるだけ長時間使用できるようにすることができる。
【００６６】
ステップＳ２２においては、全表示領域１５Ａ，１５Ｂ，１５Ｃを能動化する。具体的には、第１光源１６、第２光源１７および第３光源１８を駆動する。ステップＳ２３においては、第１処理が実行されて出力される第１画像の表示を全表示領域１５Ａ，１５Ｂ，１５Ｃに割り当てる。これにより、第１画像が全表示領域１５Ａ，１５Ｂ，１５Ｃに視認可能に表示される。そして、第２処理が実行されたか否かを判断する。第２処理が実行された場合、処理をステップＳ２５に進め、そうでなければ処理をステップＳ２８に進める。
【００６７】
ステップＳ２５においては、第２処理が実行されて出力される第２画像の表示を全表示領域に割り当てる。これにより、第２処理が実行されることにより出力される第２画像が、全表示領域１５Ａ，１５Ｂ，１５Ｃに視認可能に表示される。広い面積に第２画像が表示されるので、第２画像を見やすく表示することができる。
【００６８】
ステップＳ２６においては、第２処理が終了したか否かを判断する。第２処理が終了するまで待機状態となり（ステップＳ２６でＮＯ）、第２処理が終了すれば（ステップＳ２６でＹＥＳ）、処理をステップＳ２７に進める。ステップＳ２７においては、第１処理が実行されることにより出力される第１画像の表示を全表示領域１５Ａ，１５Ｂ，１５Ｃに割り当てる。第２処理が終了してもまだ第１処理が実行されているので、第１画像を再度表示するためである。このため、ユーザは、第２処理が終了後、ここでは通話を終了後に、実行途中であった第１処理により出力される画像、ここでは電子メールの内容を含む画像を再び見ることができる。
【００６９】
ステップＳ２８においては、第１処理が終了したか否かを判断する。第１処理が終了していれば（ステップＳ２８でＹＥＳ）、処理をステップＳ２９に進め、第１処理が終了していなければ（ステップＳ２８でＮＯ）、処理をステップＳ２４に戻す。ステップＳ２９においては、全表示領域１５Ａ，１５Ｂ，１５Ｃの表示を停止し、処理を終了する。具体的には、第１光源１６、第２光源１７および第３光源１８の駆動を停止し、処理を終了する。ＬＣＤ１５に表示する画像が存在しないときに、第１光源１６、第２光源１７および第３光源１８を駆動させないので、消費電力を小さくすることができる。
【００７０】
図７は、表示制御処理の流れの一例を示すフローチャートである。表示制御処理は、ＣＰＵ２１が画像表示プログラムを実行することにより、ＣＰＵ２１により実行される処理である。また、表示制御処理は、第１処理または第２処理が実行されることにより出力される第１画像または第２画像を、それらを表示するために割り当てられた第１表示領域１５Ａ、第２部分表示領域１５Ｂまたは全表示領域１５Ａ，１５Ｂ，１５Ｃに表示する際に実行される処理である。ここでは説明のため、第１表示領域１５Ａ、第２部分表示領域１５Ｂまたは全表示領域１５Ａ，１５Ｂ，１５Ｃのうちで画像を表示するために割り当てられたものを表示領域といい、ここでは、画像を表示領域に表示する処理について説明する。
【００７１】
図７を参照して、ＣＰＵ２１は、表示の対象となる画像を取得する（ステップＳ３１）。表示の対象となる画像は、第１処理が実行されて出力される第１画像、または第２処理が実行されて出力される第２画像である。そして、取得された画像のすべてを表示領域に表示可能か否かを判断する（ステップＳ３３）。取得された画像のサイズと、表示領域の画像のサイズとを比較する。取得された画像のサイズが表示領域の画像のサイズ以下ならば表示可能と判断する。表示可能であれば処理をステップＳ３７に進め、表示不可能であれば処理をステップＳ３３に進める。ステップＳ３７においては、ステップＳ３１において取得された画像を表示領域に表示し、処理をステップＳ３８に進める。
【００７２】
ステップＳ３３においては、ステップＳ３１において表示対象として取得された画像のうちから表示の対象となる表示部分を決定する。たとえば、画像の上から数行分を表示部分に決定する。そして、表示部分の最後に記号を追加する（ステップＳ３４）。具体的には、表示部分の最終行に、記号を上書きする。記号は、下方に画像が続いていることを示す印であり、ここでは「＞＞＞」の３文字からなる印としている。
【００７３】
そして、表示部分の画像を表示領域に表示する（ステップＳ３５）。ステップＳ３６においては、表示部分を変更するためのスクロール指示を受け付けたか否かを判断する。スクロール指示を受け付けたならば処理をステップＳ３３に戻し、受け付けなければ処理をステップＳ３８に進める。ステップＳ３３においては、スクロール後の表示部分を決定することになる。
【００７４】
ステップＳ３８においては、処理が終了したか否かを判断する。処理が終了したならば処理を終了し、そうでなければ処理をステップＳ３１に戻す。
【００７５】
図８は、ＬＣＤに表示される画面の一例を示す図である。なお、図中の点線は、説明のために付したもので、実際には存在しない。図８（Ａ）は、第１モードにおけるＬＣＤに表示される画面の一例を示す第１の図である。図８（Ａ）は、第１処理として電子メールの閲覧処理が実行される場合に、ＬＣＤ１５に表示される画面を示している。第１部分表示領域１５Ａのみに電子メールの内容を含む第１画像が表示される。また、第１部分表示領域１５Ａには、第１画像の表示部分が表示され、表示部分は最後に記号「＞＞＞」を含む。下方に第１画像の表示されていないことをユーザに知らせることができる。ユーザは、スクロール操作をすることで、第１画像の表示されていない部分を見ることができる。
【００７６】
図８（Ｂ）は、第１モードにおけるＬＣＤに表示される画面の一例を示す第２の図である。図８（Ｂ）は、図８（Ａ）に示した画面が表示されてから１５秒が経過した後に、電話の着信があり、第２処理として着信を報知する処理が実行される場合にＬＣＤ１５に表示される画面を示している。第１部分表示領域１５Ａのみに電話の着信があったことを報知する第２画像が表示される。第２画像は、年月日と、時刻と、「着信」の文字と、発信者の電話番号と、を含む。
【００７７】
図８（Ｃ）は、第１モードにおけるＬＣＤに表示される画面の一例を示す第３の図である。図８（Ｃ）は、図８（Ａ）に示した画面が表示されてから１５秒が経過する前に、電話の着信があり、第２処理として着信を報知する処理が実行される場合にＬＣＤ１５に表示される画面を示している。第１部分表示領域１５Ａに第１画像が表示され、第２表示領域１５Ｂに第２画像が表示される。ユーザは、第１画像と第２画像とを同時に見ることができるので、便利である。また、第１部分表示領域１５Ａには、第１画像の表示部分が表示され、表示部分は最後に記号「＞＞＞」を含む。この画面においてもユーザは、スクロール操作をすることで、第１画像の表示されていない部分を見ることができる。
【００７８】
図８（Ｄ）は、第２モードにおけるＬＣＤに表示される画面の一例を示す図である。図８（Ｄ）は、第１処理として電子メールの閲覧処理が実行される場合に、ＬＣＤ１５に表示される画面を示している。全表示領域１５Ａ，１５Ｂ，１５Ｃに電子メールの内容を含む第１画像が表示される。また、全表示領域１５Ａ，１５Ｂ，１５Ｃには、第１画像の表示部分が表示され、表示部分は最後に記号「＞＞＞」を含む。下方に第１画像の表示されていないことをユーザに知らせることができる。ユーザは、スクロール操作をすることで、第１画像の表示されていない部分を見ることができる。広い面積に第１画像が表示されるので、第１画像が見やすく表示され、ユーザが画面をスクロールさせる操作をする回数を減少することができる。
【００７９】
以上説明したように、本実施の形態における携帯電話機１は、表示モードが第１モードに切り換えられている場合、第１および第２処理が実行されて出力される２つの第１画像および第２画像が、第１部分表示領域１５Ａおよび第２部分表示領域１５Ｂにそれぞれ視認可能に表示される。このため、全表示領域１５Ａ，１５Ｂ，１５Ｃに表示するよりも消費される電力を小さくすることができる。また、第１および第２処理がそれぞれ実行されて出力される複数の画像が同時に表示されるので、ユーザは複数の処理の結果を同時に確認することができる。
【００８０】
また、第１画像が第１部分表示領域１５Ａに表示されてから所定時間（１５秒）経過する前は、第２画像が第２部分表示領域１５Ｂにされる。第１画像と第２画像とが同時に表示されるので、ユーザはそれらを同時に確認することができる。一方、第１画像が第１部分表示領域１５Ａに表示されてから所定時間（１５秒）経過した後、第２部分表示領域１５Ｂに第１画像に代えて第２画像が表示される。第１部分表示領域１５Ａのみに画像が表示されるので、消費電力を小さくすることができる。画像が表示されるタイミングによって消費電力の低減と利便性とのいずれを優先するかを切り換えることができる。
が決定されるので、消費電力を低減するとともに利便性を向上させることができる。
【００８１】
また、表示モードが第２モードに切り換えられている場合、電池の残量が所定の量以下の場合、第１モードに切り換えるので、強制的に消費電力を小さくして長時間表示することができる。
【００８２】
さらに、画像のすべてが表示されていないときは画像の表示されている部分に記号「＞＞＞」が追加されるので、画像のすべてが画像されていないことをユーザに知らせることができる。
【００８３】
＜第１の変形例＞
次に携帯電話機１の第１の変形例について説明する。以下、上述した携帯電話機１と異なる点を主に説明する。
【００８４】
図９は、第１の変形例における携帯電話機が備えるＣＰＵが有する機能の概要を示す機能ブロック図である。図４に示した機能と同一の機能には、同一の符号を付してある。以下図４に示した機能と異なる点を主に説明する。図９を参照して、ＣＰＵ２１は、電池３７の残量を検出する残量検出部４１と、表示モードを切り換えるモード切換部４３Ａと、画像のデータ量を検出するデータ量検出部５５と、画像の表示を制御する表示制御部４９Ａと、処理を実行する第１処理実行部４５と、指示を受け付ける指示受付部５７と、を含む。
【００８５】
第１処理実行部４５は、処理を実行し、処理を実行した結果得られる画像を表示制御部４９Ａおよびデータ量検出部５５に出力する。ここでは、第１処理を電子メールを閲覧する処理とし、第１処理部が第１処理を実行し出力する画像は電子メールの内容を含む画像を含む。データ量検出部５５は、第１処理実行部４５が処理を実行し、出力する画像のデータ量を検出し、検出したデータ量をモード切換部４３Ａに出力する。
【００８６】
モード切換部４３Ａは、表示モードを第１モードと第２モードとのいずれかに切り換える。モード切換部４３Ａは、データ量検出部５５から入力されるデータ量に基づいて、表示モードを切り換え、表示モードを表示制御部４９Ａに出力する。具体的には、データ量が予め定められたしきい値Ｔ３より小さければ表示モードを第１モードに切り換え、データ量が予め定められたしきい値Ｔ３以上ならば表示モードを第２モードに切り換える。しきい値Ｔ３は、任意に定めることができるが、たとえば、ＬＣＤ１５の全表示領域１５Ａ，１５Ｂ，１５Ｃと同じサイズの画像のデータ量とするのが好ましい、全表示領域１５Ａ，１５Ｂ，１５Ｃに一度に表示できないサイズの画像の場合に第２モードに切り換えれば、スクロールする回数を少なくすることができ、操作性が向上する。
【００８７】
モード切換部４３Ａは、データ量がしきい値Ｔ３以上であっても残量検出部４１より入力される電池の残量がしきい値Ｔ２以下ならば、第１モードに切り換える。電池の残量が少ない場合に消費電力を小さくして、携帯電話機１を可能な限り長時間使用できるようにするためである。
【００８８】
表示制御部４９Ａは、モード切換部４３Ａから入力される表示モードに従って、第１処理実行部４５から入力される画像をＬＣＤ１５に表示する。表示制御部４９Ａは、モード切換部４３から第１モードを示す表示モードが入力されると、第１処理実行部４５から入力される画像をＬＣＤ１５の第１部分表示領域１５Ａおよび第２部分表示領域１５Ｂの少なくとも１つに表示する。具体的には、表示制御部４９Ａは、第１モードにおいては、第１光源１６を駆動するパターンと、第１光源１６および第２光源１７の両方を駆動するパターンとのいずれかで第１光源１６および第２光源１７を駆動する。このため、第１モードでは、第１部分表示領域１５Ａのみに画像が視認可能に表示される場合、または第１部分表示領域１５Ａおよび第２部分表示領域１５Ｂのみに画像が視認可能に表示される場合の２つのパターンで画像が表示される。表示制御部４９Ａは、デフォルトでは第１光源１６を駆動し、第１部分表示領域１５Ａに画像を表示する。第１光源１６のみを駆動するので、消費電力をできるだけ小さくすることができる。
【００８９】
なお、ＬＣＤ１５に代えて有機ＥＬ（Ｅｌｅｃｔｒｏ‐Ｌｕｍｉｎｅｓｃｅｎｃｅ）ディスプレイを用いる場合、第２モードにおいては、第１モードにおけるよりも画像を表示する表示面積が少ないので、ＬＣＤ１５の場合と同様に、第２モードにおける消費電力は第２モードにおける消費電力よりも小さい。このため、消費電力を小さくするためには、表示モードを可能な限り第１モードに切り換えることが好ましい。
【００９０】
表示制御部４９Ａは、所定の印を追加する明示部５１を含む。明示部５１は、第１処理実行部４５が出力する画像を表示するために割り当てられた第１部分表示領域１５Ａ、第２部分表示領域１５Ｂまたは全表示領域１５Ａ，１５Ｂ，１５Ｃに、画像のすべてが表示されていない場合に、画像のうち表示される部分に所定の印を重畳して追加する。
【００９１】
指示受付部５７は、ユーザが表示領域を拡大する拡大表示指示が割り当てれられた操作キー１４を操作すると、その拡大表示指示を受け付ける。指示受付部５７は、拡大表示指示を受け付けると、拡大表示指示を表示制御部４９Ａに出力する。
【００９２】
表示制御部４９Ａは、モード切換部４３Ａから第１モードを示す表示モードが入力される場合、第１部分表示領域１５Ａに画像を表示する。その後、指示受付部５７から拡大表示指示が入力されると、第２光源１７を駆動し、第１部分表示領域１５Ａに表示されている画像のうち未だ表示されていない部分の画像を第２部分表示領域１５Ｂに表示する。これにより、画像を視認可能に表示する面積を広くすることができ、画像を見やすく表示することができる。
【００９３】
一方、表示制御部４９Ａは、モード切換部４３Ａから第２モードを示す表示モードが入力されると、第１処理実行部４５から入力される画像をＬＣＤ１５の全表示領域１５Ａ，１５Ｂ，１５Ｃに表示する。表示制御部４９Ａは、第２モードにおいては、第１光源１６と第２光源１７と第３光源１８とを駆動する。従って、第２モードにおいては、光源１６、第２光源１７および第３光源１８のすべてが駆動されるが、第１モードにおいては、第１光源１６および第２光源１７の少なくとも１つが駆動され、第３光源１８が駆動されないので、第２モードにおける消費電力は第１モードにおける消費電力よりも大きい。
【００９４】
図１０は、第１の変形例における表示切換処理の流れの一例を示す第１のフローチャートである。第１の変形例における表示切換処理は、ＣＰＵ２１Ａが画像表示プログラムを実行することにより、ＣＰＵ２１Ａにより実行される処理である。図１０を参照して、ＣＰＵ２１は、処理が実行されたか否かを判断する（ステップＳ４１）。処理が実行されるまで待機状態となり（ステップＳ４１でＮＯ）、処理が実行されると（ステップＳ４１でＹＥＳ）、処理をステップＳ４２に進める。
【００９５】
ステップＳ４２においては、処理が実行されて出力される画像のデータ量Ａを検出する。次のステップＳ４３においては、データ量Ａがしきい値Ｔ３以上であるか否かを判断する。しきい値Ｔ３以上の場合は、処理をステップＳ５２に進め、そうでなければ処理をステップＳ４４に進める。ステップＳ４４においては、表示モードを第１モードに切り換え、処理をステップＳ４５に進める。
【００９６】
ステップＳ４５においては、第１部分表示領域１５Ａを能動化する。具体的には、第１光源１６を駆動する。そして、処理が実行されて出力される画像の表示を第１部分表示領域１５Ａに割り当てる（ステップＳ４６）。これにより、処理が実行されることにより出力される画像が、第１部分表示領域１５Ａに視認可能に表示される。
【００９７】
次のステップＳ４７においては、拡大表示指示を受け付けたか否かを判断する。拡大表示指示を受け付けたならば処理をステップＳ４８に進め、そうでなければ処理をステップＳ５０に進める。ステップＳ４８においては、第２部分表示領域１５Ｂを能動化する。具体的には、第２光源１７を駆動する。そして、処理が実行されて出力される画像を第１部分表示領域１５Ａおよび第２部分表示領域１５Ｂに割り当てる。第１光源１６および第２光源１７が駆動するので、画像が第１部分表示領域１５Ａおよび第２部分表示領域１５Ｂに視認可能に表示される。このため、ユーザは第１部分表示領域１５Ａに比べて広い面積で画像を見ることができる。
【００９８】
次のステップＳ５０においては、処理が終了したか否かを判断する。処理が終了したならば処理をステップＳ５１に進め、そうでなければ処理をステップＳ４７に戻す。ステップＳ５１においては、第１部分表示領域１５Ａおよび第２部分表示領域１５Ｂに表示されている画像の表示を停止し、処理を終了する。具体的には、第１光源１６および第２光源１７の駆動を停止する。
【００９９】
一方、ステップＳ５２においては、電池３７の残量Ｑを検出する。そして、電池残量Ｑがしきい値Ｔ２以上か否かを判断する。電池３７の残量Ｑがしきい値Ｔ２以上ならば処理をステップＳ５４に進め、そうでなければ処理をステップＳ４４に進める。電池３７の残量が少ない場合に、表示モードを第１モードに切り換えるので、携帯電話機１をできるだけ長時間使用可能な状態にすることができる。
【０１００】
電池３７の残量Ｑがしきい値Ｔ２以上の場合、表示モードを第２モードに切り換える（ステップＳ５４）。そして、全表示領域１５Ａ，１５Ｂ，１５Ｃを能動化する（ステップＳ５５）。具体的には、第１光源１６、第２光源１７および第３光源１８を駆動する。そして、画像の表示を全表示領域１５Ａ，１５Ｂ，１５Ｃに割り当てる（ステップＳ５６）。これにより、処理が実行されることにより出力される画像が、全表示領域１５Ａ，１５Ｂ，１５Ｃに視認可能に表示される。
【０１０１】
ステップＳ５７においては、処理が終了したか否かを判断する。処理が終了するまで待機状態となり（ステップＳ５７でＮＯ）、処理が終了すれば（ステップＳ５７でＹＥＳ）、処理をステップＳ５８に進める。ステップＳ５８においては、全表示領域１５Ａ，１５Ｂ，１５Ｃの表示を停止し、処理を終了する。具体的には、第１光源１６、第２光源１７および第３光源１８の駆動を停止する。
【０１０２】
図１１は、第１の変形例におけるＬＣＤに表示される画面の一例を示す図である。なお、図中の点線は、説明のために付したもので、実際には存在しない。図１１（Ａ）は、第１の変形例におけるＬＣＤに表示される画面の一例を示す第１の図である。図１１（Ａ）は、第１モードにおいて第１処理として電子メールの閲覧処理が実行される場合に、ＬＣＤ１５に表示される画面を示している。第１部分表示領域１５Ａのみに電子メールの内容を含む画像が表示される。
【０１０３】
図１１（Ｂ）は、第１の変形例におけるＬＣＤに表示される画面の一例を示す第２の図である。図１１（Ｂ）は、図１１（Ａ）に示した画面が表示されている状態で、拡大指示が受付られた場合にＬＣＤ１５に表示される画面を示している。第１部分表示領域１５Ａと第２部分表示領域１５Ｂに画像が表示される。２行の表示であったものが、４行の表示に拡大されるので、電子メールの内容が見やすくなる。
【０１０４】
画像のサイズが、全表示領域１５Ａ，１５Ｂ，１５Ｃより大きい場合は、第２モードに切り換えられるので、図８（Ｄ）に示したのと同じ画面がＬＣＤ１５に表示される。
【０１０５】
第１の変形例における携帯電話機１は、画像のデータ量に基づいて、第１モードと第２モードとのいずれかに切り換えられる。画像のデータ量が大きな場合に全表示領域に画像を表示するので、画像を見やすく表示することができる。また、画像のデータ量が小さな場合に第１部分表示領域１５Ａに画像を表示するので、消費電力を小さくすることができる。このため、画像のデータ量によって、画像を表示する面積を切り換えるので、消費電力の低減と利便性とをデータ量によって切り換えることができる。
【０１０６】
また、第１モードに切り換えられている場合、拡大表示指示が受け付けられるまでは第１部分表示領域１５Ａに画像を表示し、拡大表示指示が受け付けられると、第１部分表示領域１５Ａおよび第２部分表示領域１５Ｂとに画像が視認可能に表示されるので、画像を見やすく表示することができる。ユーザの指示により、画像を表示する面積を変更することができる。
【０１０７】
なお、第１の変形例においては、表示モードが第１モードに切り換えられている場合、第１部分表示領域１５Ａに画像を表示するようにしたが、第１部分表示領域１５Ａ、第２部分表示領域１５Ｂ、第３部分表示領域１５Ｃのいずれに表示するようにしてもよいし、それらのうちから選択された２つに表示するようにしてもよい。また、画像のデータ量によって、第１部分表示領域１５Ａ、第２部分表示領域１５Ｂ、第３部分表示領域１５Ｃのうちから画像を表示するものを決定するようにしてもよい。第１部分表示領域１５Ａと第２部分表示領域１５Ｂの組み合わせよりも、第２部分表示領域１５Ｂと第３部分表示領域１５Ｃの組み合わせの方が表示面積が広い。このため、第１部分表示領域１５Ａと第２部分表示領域１５Ｂの組み合わせでは画像全体を表示することはできないが、第２部分表示領域１５Ｂと第３部分表示領域１５Ｃとの組み合わせで画像全体を表示可能な場合がある。この場合、第２部分表示領域１５Ｂと第３部分表示領域１５Ｃとに画像を表示すれば、スクロール操作が不要になり便利である。また、第１光源１６を駆動しないので、消費電力を低減することができる。
＜第２の変形例＞
図１２は、第２の変形例における携帯電話機が備えるＣＰＵが有する機能の概要を示す機能ブロック図である。図９に示した機能ブロック図と異なる点は、モード切換部４３Ｂおよび表示制御部４９Ｂを変更した点である。以下、図９に示した機能と異なる点を主に説明する。
【０１０８】
指示受付部５７は、ユーザが表示領域を拡大する拡大表示指示が割り当てれられた操作キー１４を操作すると、その拡大表示指示を受け付ける。指示受付部５７は、拡大表示指示を受け付けると、拡大表示指示をモード切換部４３Ｂおよび表示制御部４９Ｂに出力する。
【０１０９】
モード切換部４３Ｂは、表示モードを第１モードと第２モードとのいずれかに切り換える。モード切換部４３Ｂは、デフォルトでは表示モードを第１モードに切り換え、表示モードを表示制御部４９Ｂに出力する。また、モード切換部４３Ｂは、指示受付部５７から拡大表示指示が入力されると、データ量検出部５５から入力されるデータ量に基づいて、表示モードを第２モードに切り換え、表示モードを表示制御部４９Ｂに出力する。具体的には、データ量が予め定められたしきい値Ｔ３より小さければ表示モードを第１モードに切り換え、データ量が予め定められたしきい値Ｔ３以上ならば表示モードを第２モードに切り換える。しきい値Ｔ３は、任意に定めることができるが、たとえば、ＬＣＤ１５の全表示領域１５Ａ，１５Ｂ，１５Ｃのサイズと同じサイズの画像のデータ量とするのが好ましい。全表示領域１５Ａ，１５Ｂ，１５Ｃに一度に表示できないサイズの画像の場合に第２モードに切り換えれば、スクロールする回数を少なくすることができ、操作性が向上する。
【０１１０】
モード切換部４３Ｂは、データ量がしきい値Ｔ３以上であっても残量検出部４１より入力される電池の残量がしきい値Ｔ２以下ならば、第１モードに切り換える。電池の残量が少ない場合に消費電力を小さくして、携帯電話機１を可能な限り長時間使用できるようにするためである。
【０１１１】
表示制御部４９Ｂは、モード切換部４３Ｂから入力される表示モードに従って、第１処理実行部４５から入力される画像をＬＣＤ１５に視認可能に表示する。表示制御部４９Ｂは、モード切換部４３から第１モードを示す表示モードが入力されると、第１光源１６を駆動し、第１処理実行部４５から入力される画像をＬＣＤ１５の第１部分表示領域１５Ａに表示する。このため、第１部分表示領域１５Ａのみに画像が視認可能に表示される。さらに、表示制御部４９Ｂは、デフォルトでは第１光源１６のみを駆動するので、消費電力をできるだけ小さくすることができる。
【０１１２】
表示制御部４９Ｂは、モード切換部４３Ｂから第１モードを示す表示モードが入力される場合、第１部分表示領域１５Ａに画像を表示するが、その後、指示受付部５７から拡大表示指示が入力されると、データ量検出部５５から入力されるデータ量に基づいて、第２部分表示領域１５Ｂに画像を視認可能に表示する。具体的には、データ量が予め定められたしきい値Ｔ４以上ならば第２光源１７を駆動し、第１部分表示領域１５Ａおよび第２部分表示領域１５Ｂに画像を表示する。しきい値Ｔ４は、しきい値Ｔ３よりも小さな値である。ここでは、しきい値Ｔ４を、第１部分表示領域１５Ａと第２部分表示領域１５Ｂとを加えた領域のサイズと同じサイズの画像のデータ量と同じ値にしている。これにより、第１部分表示領域１５Ａと第２部分表示領域１５Ｂとに画像が視認可能に表示される。
【０１１３】
一方、表示制御部４９Ａは、画像のデータ量がしきい値Ｔ４より小さければ、第２光源１７を駆動しない。しきい値Ｔ４は、任意に定めることができるが、たとえば、第１部分表示領域１５Ａと第２部分表示領域１５Ｂとを加えた領域のサイズと同じサイズの画像のデータ量とするのが好ましい。第１部分表示領域１５Ａと第２部分表示領域１５Ｂとに一度に表示できないサイズの画像の場合に第２部分表示領域１５Ｂを駆動すれば、スクロールする回数を少なくすることができ、操作性が向上する。また、画像のデータ量がしきい値Ｔ４より小さい場合、ユーザは、数回のスクロール操作で、画像の全部を見ることができるので、第２光源１７を駆動しないようにして、消費電力を低減することができる。
【０１１４】
図１３および図１４は、第２の変形例における表示切換処理の流れの一例を示すフローチャートである。第２の変形例における表示切換処理は、ＣＰＵ２１Ｂが表示切換プログラムを実行することにより、ＣＰＵ２１Ｂにより実行される処理である。図１３および図１４を参照して、ＣＰＵ２１Ｂは、処理が実行されたか否かを判断する（ステップＳ６１）。処理が実行されるまで待機状態となり（ステップＳ６１でＮＯ）、処理が実行されると処理をステップＳ６２に進める。
【０１１５】
ステップＳ６２においては、表示モードを第１モードに切り換える。次のステップＳ６３においては、第１部分表示領域１５Ａを能動化する。具体的には、第１光源１６を駆動する。そして、ステップＳ６４においては、処理が実行されて出力される画像を第１部分表示領域１５Ａに割り当てる。これにより、処理が実行されて出力される画像が第１部分表示領域１５Ａに視認可能に表示される。
【０１１６】
ステップＳ６５においては、拡大表示指示を受け付けたか否かを判断する。拡大表示指示を受け付けるまで待機状態となり（ステップＳ６５でＮＯ）、拡大表示指示を受け付けると処理をステップＳ６６に進める。ステップＳ６６においては、処理が実行されて出力された画像のデータ量Ａを検出する。そして、データ量Ａがしきい値Ｔ３以上か否かを判断する（ステップＳ６７）。ここでは、しきい値Ｔ３は、ＬＣＤ１５の全表示領域１５Ａ，１５Ｂ，１５Ｃのサイズと同じサイズの画像のデータ量と同じ値にしている。データ量Ａがしきい値Ｔ３以上ならば、処理をステップＳ７５に進め、そうでなければ処理をステップＳ６８に進める。ステップＳ６８においては、データ量Ａがしきい値Ｔ４以上か否かを判断する。データ量Ａがしきい値Ｔ４以上ならば、処理をステップＳ７１に進め、そうでなければ処理をステップＳ６９に進める。
【０１１７】
ステップＳ６９においては、処理が終了したか否かを判断する。処理が終了するまで待機状態となり（ステップＳ６９でＮＯ）、処理が終了すれば（ステップＳ６９でＹＥＳ）、処理をステップＳ７０に進める。ステップＳ７０においては、第１部分表示領域１５Ａの表示を停止し、処理を終了する。具体的には、第１光源１６の駆動を停止する。
【０１１８】
ステップＳ７１においては、第２部分表示領域１５Ｂを能動化する。具体的には、第２光源１７を駆動する。次のステップＳ７２においては、処理が実行されて出力される画像を第１部分表示領域１５Ａおよび第２部分表示領域１５Ｂに割り当てる。第１光源１６および第２光源１７が駆動しているので、処理が実行されて出力される画像が視認可能に表示される。第１部分表示領域１５Ａだけに画像を表示する場合と比べてより表示する面積が大きくなるので、画像を見やすく表示することができる。
【０１１９】
ステップＳ７３においては、処理が終了したか否かを判断する。処理が終了するまで待機状態となり（ステップＳ７３でＮＯ）、処理が終了すれば（ステップＳ７３でＹＥＳ）、処理をステップＳ７４に進める。ステップＳ７４においては、第１部分表示領域１５Ａおよび第２部分表示領域１５Ｂに表示している画像の表示を停止し、処理を終了する。具体的には、第１光源１６および第２光源１７の駆動を停止する。
【０１２０】
一方、ステップＳ７５においては、電池３７の残量Ｑを検出する。そして、電池残量Ｑがしきい値Ｔ２以上か否かを判断する（ステップＳ７６）。電池３７の残量Ｑがしきい値Ｔ２以上ならば処理をステップＳ７７に進め、そうでなければ処理をステップＳ６８に進める。電池３７の残量が少ない場合に、表示モードを第１モードに切り換えるので、携帯電話機１をできるだけ長時間使用可能な状態にすることができる。
【０１２１】
電池３７の残量Ｑがしきい値Ｔ２以上の場合、表示モードを第２モードに切り換える（ステップＳ７７）。以下のステップＳ７７〜８１までの処理は、図１０のステップＳ５５〜５８までの処理と同じなので、ここでは説明を繰り返さない。
【０１２２】
第２の変形例における携帯電話機１は、表示モードが第１モードに切り換えられている場合、第１部分表示領域１５Ａに画像を視認可能に表示し、拡大表示指示が受け付けられることに応じて、第１部分表示領域１５Ａに表示されている画像を、第１部分表示領域１５Ａおよび第２部分表示領域１５Ｂに視認可能に表示する。このため、拡大表示指示が受け付けられるまでは第１光源１６のみが駆動されるので消費電力が小さくなり、拡大表示指示が受け付けられると、第１部分表示領域１５Ａおよび第２部分表示領域１５Ｂとに画像が表示されるので、画像を見やすく表示することができる。
【０１２３】
また、画像のデータ量に基づいて、第２部分表示領域１５Ｂに画像を視認可能に表示するか否かを決定する。このため、データ量に応じて、消費電力の低減と利便性とのいずれを優先するかを決定することができる。
【０１２４】
また、第１モードに切り換えられている場合、拡大表示指示が受け付けられると、画像のデータ量がしきい値Ｔ３以上であることを条件に、第２モードに切り換えられるので、全表示領域１５Ａ，１５Ｂ，１５Ｃに画像が表示される。このため、画像を見やすく表示することができる。また、データ量に応じて、消費電力の低減と利便性とのいずれを優先するかを決定することができる。
【０１２５】
なお、上述した実施の形態においては、形態情報処理装置の一例として、携帯電話機１を例に説明したが、ＰＤＡ等の携帯される情報機器であればよい。また、図５〜図７、図１０、または、図１３および図１４に示した処理を実行するための画像出力方法、または画像出力方法をコンピュータに実行させるための画像出力プログラムとして発明を捉えることができるのは言うまでもない。
【０１２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１２７】
＜付記＞
（１）  画像のデータ量を検出する検出手段をさらに備え、
前記表示制御手段は、前記検出されたデータ量に基づいて、前記複数の部分表示領域のうち前記画像を視認可能に表示する部分表示領域を決定する、請求項５に記載の携帯情報処理装置。
（２）  画像のデータ量を検出する検出手段をさらに備え、
前記モード切換手段は、前記第１モードに切り換えられている場合、前記拡大表示指示が受け付けられると、前記検出されたデータ量が所定の値以上であことを条件に、前記第２モードに切り換える、請求項５に記載の携帯情報処理装置。
【図面の簡単な説明】
【０１２８】
【図１】本発明の実施の形態の１つにおける携帯電話機の外観を示す斜視図である。
【図２】ＬＣＤが有する複数の部分表示領域を説明するための図である。
【図３】本実施の形態における携帯電話機の機能の一例を示す機能ブロック図である。
【図４】携帯電話機が備えるＣＰＵが有する機能の概要を示す機能ブロック図である。
【図５】表示切換処理の流れの一例を示す第１のフローチャートである。
【図６】表示制御処理の流れの一例を示す第２のフローチャートである。
【図７】表示制御処理の流れの一例を示すフローチャートである。
【図８】ＬＣＤに表示される画面の一例を示す図である。
【図９】第１の変形例における携帯電話機が備えるＣＰＵが有する機能の概要を示す機能ブロック図である。
【図１０】第１の変形例における表示切換処理の流れの一例を示す第１のフローチャートである。
【図１１】第１の変形例におけるＬＣＤに表示される画面の一例を示す図である。
【図１２】第２の変形例における携帯電話機が備えるＣＰＵが有する機能の概要を示す機能ブロック図である。
【図１３】第２の変形例における表示切換処理の流れの一例を示す第１のフローチャートである。
【図１４】第２の変形例における表示切換処理の流れの一例を示す第２のフローチャートである。
【符号の説明】
【０１２９】
１  携帯電話機、２  表示側部、３  操作側部、１１  スピーカ、１３  マイクロフォン、１４  操作キー、１５  ＬＣＤ、１５Ａ  第１部分表示領域、１５Ｂ  第２部分表示領域、１５Ｃ  第３部分表示領域、１６  第１光源、１７  第２光源、１８  第３光源、２１  ＣＰＵ、２２  無線回路、２７  カードＩ／Ｆ、２７Ａ  フラッシュメモリ、２８  コーデック部、３２  ＲＡＭ、３３  ＥＥＰＲＯＭ、３７  電池、４１  残量検出部、４３，４３Ａ，４３Ｂ  モード切換部、４５  第１処理実行部、４７  第２処理実行部、４９，４９Ａ，４９Ｂ  表示制御部、５１  明示部、５３  計時部、５５  データ量検出部、５７  指示受付部。
【図１】
0005122993.tif 000002
【図２】
0005122993.tif 000003
【図３】
0005122993.tif 000004
【図４】
0005122993.tif 000005
【図５】
0005122993.tif 000006
【図６】
0005122993.tif 000007
【図７】
0005122993.tif 000008
【図８】
0005122993.tif 000009
【図９】
0005122993.tif 000010
【図１０】
0005122993.tif 000011
【図１１】
0005122993.tif 000012
【図１２】
0005122993.tif 000013
【図１３】
0005122993.tif 000014
【図１４】
0005122993.tif 000015